(57)【要約】【課題】造血前駆細胞を正確に分類・計数できる測定方法および測定装置を提供すること【解決手段】血液学的試料に含まれる赤血球および成熟白血球の細胞膜に損傷を与え、細胞膜が損傷した血球を収縮させ、核酸を染色できる蛍光色素で染色処理する試料処理工程；処理された試料に、光を照射することによって生じる第１散乱光情報と、第１散乱光とは角度の異なる散乱光に基づく第２散乱光情報と、蛍光情報とを取得する取得工程；前記第１散乱光情報および前記第２散乱光情報に基づいて、造血前駆細胞を含む第１細胞群を特定する第１特定工程；前記第１散乱光情報および前記蛍光情報に基づいて、造血前駆細胞を含む第２細胞群を特定する第２特定工程；および前記第１細胞群に含まれ且つ前記第２細胞群に含まれる細胞を造血前駆細胞として計数する計数工程を含む血液学的試料の測定方法を提供する。【選択図】  図３
2008134062.tif 000002
【特許請求の範囲】
【請求項１】
血液学的試料に含まれる赤血球および成熟白血球の細胞膜に損傷を与え、細胞膜が損傷した血球を収縮させ、核酸を染色できる蛍光色素で染色処理する試料処理工程；
処理された試料に、光を照射することによって生じる第１散乱光情報と、第１散乱光とは角度の異なる散乱光に基づく第２散乱光情報と、蛍光情報とを取得する取得工程；
前記第１散乱光情報および前記第２散乱光情報に基づいて、造血前駆細胞を含む第１細胞群を特定する第１特定工程；
前記第１散乱光情報および前記蛍光情報に基づいて、造血前駆細胞を含む第２細胞群を特定する第２特定工程；および
前記第１細胞群に含まれ且つ前記第２細胞群に含まれる細胞を造血前駆細胞として計数する計数工程
を含む血液学的試料の測定方法。
【請求項２】
前記計数工程において、
前記第１細胞群に含まれ且つ前記第２細胞群に含まれる細胞を、前記蛍光情報および前記第２散乱光情報を二軸とするスキャッタグラム中に展開し、前記スキャッタグラムに出現する細胞を造血前駆細胞として計数する、請求項１に記載の測定方法。
【請求項３】
前記第２特定工程は、前記第１細胞群の第１散乱光情報および蛍光情報に基づいて、前記第１細胞群の中から第２細胞群を特定する工程である、請求項１に記載の方法。
【請求項４】
前記第１特定工程は、前記第２細胞群の第１散乱光情報および第２散乱光情報に基づいて、前記第２細胞群の中から第１細胞群を特定する工程である、請求項１に記載の方法。
【請求項５】
前記第１特定工程は、前記第１散乱光情報および前記第２散乱光情報を二軸とする第１のスキャッタグラム中に造血前駆細胞の出現候補領域を設定し、前記候補領域内に出現する細胞群を前記第１細胞群として特定する工程であり、
前記第２特定工程は、前記第１散乱光情報および前記蛍光情報を二軸とする第２のスキャッタグラム中に造血前駆細胞の出現候補領域を設定し、前記候補領域内に出現する細胞群を前記第２細胞群として特定する工程である、請求項１〜４のいずれかに記載の方法。
【請求項６】
前記試料処理工程において、前記染色処理により造血前駆細胞とその他の白血球との間に蛍光強度の差異を生じさせる請求項１〜５のいずれかに記載の方法。
【請求項７】
血液学的試料に含まれる赤血球および成熟白血球の細胞膜に損傷を与え、細胞膜が損傷した血球を収縮させ、核酸を染色できる蛍光色素で染色処理する試料処理工程；
処理された試料に、光を照射することによって生じる第１散乱光情報と、第１散乱光とは角度の異なる散乱光に基づく第２散乱光情報と、蛍光情報とを取得する取得工程；
前記第１散乱光情報および前記第２散乱光情報に基づいて、造血前駆細胞を含む第１細胞群を特定する第１特定工程；
前記第１散乱光情報および前記蛍光情報に基づいて、ゴースト集団以外の細胞集団を、第２細胞群として特定する第２特定工程；
前記第２散乱光情報および前記蛍光情報に基づいて、前記第２細胞群の中から、少なくとも成熟白血球を実質的に含まない第３細胞群を特定する第３特定工程；および
前記第１細胞群に含まれ且つ前記第３細胞群に含まれる細胞を計数する計数工程
を含む血液学的試料の測定方法。
【請求項８】
前記第１散乱光情報が前方散乱光強度であり、前記第２散乱光情報が側方散乱光強度であり、前記蛍光情報が蛍光強度である、請求項１〜７の何れかに記載の方法。
【請求項９】
前記処理工程は、赤血球および成熟白血球の細胞膜に損傷を与える界面活性剤と、損傷した血球を収縮させる可溶化剤と、核酸を染色する蛍光色素と、血液学的試料とを混合することにより行なわれる請求項１〜８のいずれかに記載の方法。
【請求項１０】
血液学的試料に含まれる赤血球および成熟白血球の細胞膜に損傷を与え、細胞膜が損傷した血球を収縮させ、核酸を染色できる蛍光色素で染色処理する試料処理手段；
処理された試料に、光を照射することによって生じる第１散乱光情報と、第１散乱光とは角度の異なる散乱光に基づく第２散乱光情報と、蛍光情報とを取得する取得手段；
前記第１散乱光情報および前記第２散乱光情報に基づいて造血前駆細胞を含む第１細胞群を特定する第１特定手段；
前記第１散乱光情報および前記蛍光情報に基づいて造血前駆細胞を含む第２細胞群を特定する第２特定手段；および
前記第１細胞群に含まれ且つ前記第２細胞群に含まれる細胞を造血前駆細胞として計数する計数手段
を含む血液学的試料の測定装置。
【請求項１１】
前記第１細胞群が、前記第１散乱光情報および前記第２散乱光情報を二軸とする第１のスキャッタグラム中に設定された造血前駆細胞の出現候補領域に出現する細胞群であり、
前記第２細胞群が、前記第１散乱光情報および前記蛍光情報を二軸とする第２のスキャッタグラム中に設定された造血前駆細胞の出現候補領域に出現する細胞群である、
請求項１０に記載の測定装置。
【請求項１２】
前記計数手段は、前記第１細胞群に含まれ且つ前記第２細胞群に含まれる細胞を、前記蛍光情報および前記第２散乱光情報を二軸とする第３のスキャッタグラム中に展開し、前記第３のスキャッタグラムに出現する細胞を造血前駆細胞として計数する手段である、請求項１０又は１１に記載の測定装置。
【請求項１３】
前記第１細胞群に含まれ且つ前記第２細胞群に含まれる細胞が出現しているスキャッタグラム、および前記造血前駆細胞の計数結果のうち少なくとも１つを表示する表示部をさらに備える請求項１０〜１２の何れかに記載の装置。
【請求項１４】
血液学的試料に含まれる赤血球および成熟白血球の細胞膜に損傷を与え、細胞膜が損傷した血球を収縮させ、核酸を染色できる蛍光色素で染色処理する試料処理工程；
処理された試料に、光を照射することによって生じる第１散乱光情報と、第１散乱光とは角度の異なる散乱光に基づく第２散乱光情報と、蛍光情報とを取得する工程；
前記蛍光情報及び前記第１散乱光情報に基づいてゴースト集団以外の細胞集団を特定する工程；
前記第２散乱光情報及び蛍光情報に基づいて、前記ゴースト以外の細胞集団の中から造血前駆細胞を特定し、計数する工程、
を含む血液学的試料の測定方法。
【請求項１５】
前記特定工程において、前記細胞集団を、前記蛍光情報及び前記第１散乱光情報を二軸とするスキャッタグラム中に展開し、前記スキャッタグラムに前記細胞集団の出現候補領域を設定し、この出現候補領域中に出現する細胞群を前記細胞集団として特定し、
前記計数工程において、前記細胞集団を前記第２散乱光情報及び前記蛍光情報を二軸とするスキャッタグラム中に展開し、前記スキャッタグラムに前記造血前駆細胞の出現候補領域を設定し、この出現候補領域中に出現する細胞群を造血前駆細胞として特定し、計数する、請求項１４記載の方法。
【請求項１６】
前記赤血球及び前記成熟白血球の細胞膜に損傷を与える界面活性剤と、損傷した血球を収縮させる可溶化剤と、糖とを含有する試薬と前記血液学的試料とを混合することにより、前記血液学的試料に含まれる前記赤血球および前記成熟白血球の細胞膜に損傷を与え、且つ損傷した血球を収縮させる、請求項１４または１５記載の方法。
【請求項１７】
前記糖が、キシリトール、アラビノース、グルコース、マンニトール、ソルビトール、リビトールからなる群より選択される少なくとも１つである、請求項１４〜１６のいずれかに記載の方法。
【発明の詳細な説明】
【技術分野】
【０００１】
本発明は、血液学的試料の測定方法および測定装置に関し、特に造血前駆細胞を他の血球細胞と高精度に区別して計数することができる血液学的試料の測定方法および測定装置に関する。
【背景技術】
【０００２】
臨床の現場では、血液学的試料中の造血前駆細胞を測定することが行われている。たとえば、白血病や再生不良性貧血等の治療法として知られる末梢血幹細胞移植（Peripheral Blood Stem Cell Transplantation: ＰＢＳＣＴ）の際に末梢血中の造血前駆細胞が測定される。ＰＢＳＣＴでは、健常人ドナーに造血因子製剤（Ｇ−ＣＳＦ）を投与して、末梢血中にはほとんど存在しない造血幹細胞などの造血前駆細胞を末梢血中に出現させる。Ｇ−ＣＳＦ投与後、定期的に末梢血中の造血前駆細胞を測定し、造血前駆細胞の出現数が極大となったときにアフェレーシス等により末梢血を採取する。この末梢血を採取して凍結保存し、必要なときに解凍して患者に投与する。また、患者に対してＧ−ＣＳＦを投与して造血前駆細胞を出現させ、末梢血を採取してこの患者自身に造血前駆細胞の出現した末梢血を投与する自己末梢血幹細胞移植も行われている。
【０００３】
ＰＢＳＣＴにおいては、Ｇ−ＣＳＦを投与した後、末梢血採取が早すぎたり、あるいは遅すぎたりすると十分な量の造血前駆細胞を得られないことがある。このため、末梢血採取の時機を逸しないために正確に造血前駆細胞を測定する技術が非常に重要となる。造血前駆細胞を測定する方法としては、たとえば特許文献１記載の技術が知られている。特許文献１によると、先ずフローサイトメータのフローセルに血液を処理した測定用試料を導入し、フローセルを通過する細胞に光を照射する。光を照射された細胞から生じる散乱光を取得し、この散乱光情報に基づいて造血前駆細胞が特定される。
【０００４】
【特許文献１】米国特許５８３０７０１号公報
【発明の開示】
【発明が解決しようとする課題】
【０００５】
本発明の目的は、フローサイトメトリーによる血液試料の測定において、造血前駆細胞を正確に分類・計数できる測定方法および測定装置を提供することである。
【課題を解決するための手段】
【０００６】
本発明の血液学的試料の測定方法のうち、第１の測定方法は、血液学的試料に含まれる赤血球および成熟白血球の細胞膜に損傷を与え、細胞膜が損傷した血球を収縮させ、核酸を染色できる蛍光色素で染色処理する試料処理工程；処理された試料に光を照射することによって生じる第１散乱光情報と、第１散乱光とは角度の異なる散乱光に基づく第２散乱光情報と、蛍光情報とを取得する取得工程；前記第１散乱光情報および前記第２散乱光情報に基づいて、造血前駆細胞を含む第１細胞群を特定する第１特定工程；前記第１散乱光情報および前記蛍光情報に基づいて、造血前駆細胞を含む第２細胞群を特定する第２特定工程；および前記第１細胞群に含まれ且つ前記第２細胞群に含まれる細胞を造血前駆細胞として計数する計数工程を含む。
【０００７】
前記計数工程において、前記第１細胞群に含まれ且つ前記第２細胞群に含まれる細胞を、前記蛍光情報および前記第２散乱光情報を二軸とするスキャッタグラム中に展開し、前記スキャッタグラムに出現する細胞を造血前駆細胞として計数してもよい。
【０００８】
また、上記第１の測定方法における前記第２特定工程が、前記第１細胞群の第１散乱光情報および蛍光情報に基づいて、前記第１細胞群の中から第２細胞群を特定する工程であってもよいし、あるいは上記第１の測定方法における前記第１特定工程が、前記第２細胞群の第１散乱光情報および第２散乱光情報に基づいて、前記第２細胞群の中から第１細胞群を特定する工程であってもよい（第２の測定方法）。
【０００９】
上記第１の測定方法において、前記第１特定工程は、前記第１散乱光情報および前記第２散乱光情報を二軸とする第１のスキャッタグラム中に造血前駆細胞の出現候補領域を設定し、前記候補領域内に出現する細胞群を前記第１細胞群として特定する工程であり、前記第２特定工程は、前記第１散乱光情報および前記蛍光情報を二軸とする第２のスキャッタグラム中に造血前駆細胞の出現候補領域を設定し、前記候補領域内に出現する細胞群を前記第２細胞群として特定する工程であることが好ましい。
【００１０】
また、本発明の血液学的試料の測定方法は、第１特定工程および第２特定工程を同時に行なってもよい。すなわち、第３の測定方法は、血液学的試料に含まれる赤血球および成熟白血球の細胞膜に損傷を与え、細胞膜が損傷した血球を収縮させ、核酸を染色できる蛍光色素で染色処理する試料処理工程；前記処理された試料に、光を照射することによって生じる第１散乱光情報と、第１散乱光とは角度の異なる散乱光に基づく第２散乱光情報と、蛍光情報とを取得する取得工程；前記第１散乱光情報および前記第２散乱光情報に基づいて造血前駆細胞を含む第１細胞群を特定するとともに、前記第１散乱光情報および前記蛍光情報に基づいて造血前駆細胞を含む第２細胞群を特定する特定工程；および前記第１細胞群に含まれ且つ前記第２細胞群に含まれる細胞を造血前駆細胞として計数する計数工程を含む。
【００１１】
さらに、第４の測定方法は、血液学的試料に含まれる赤血球および成熟白血球の細胞膜に損傷を与え、細胞膜が損傷した血球を収縮させ、核酸を染色できる蛍光色素で染色処理する試料処理工程；前記処理された試料に光を照射することによって生じる第１散乱光情報と、第１散乱光とは角度の異なる散乱光に基づく第２散乱光情報と、蛍光情報とを取得する取得工程；前記第１散乱光情報および前記第２散乱光情報に基づいて、造血前駆細胞を含む第１細胞群を特定する第１特定工程；前記第１散乱光情報および前記蛍光情報に基づいて、ゴースト集団以外の細胞集団を第３細胞群として特定する第３特定工程；前記第３細胞群の第２散乱光情報および蛍光情報に基づいて、前記第３細胞群の中から、少なくとも成熟白血球を含まない第４細胞群を特定する第４特定工程；および前記第１細胞群に含まれ且つ前記第４細胞群に含まれる細胞を計数する計数工程を含む。
【００１２】
上記本発明の血液学的試料の測定方法において、前記第１散乱光情報が前方散乱光強度であり、前記第２散乱光情報が側方散乱光強度であり、前記蛍光情報が蛍光強度であることが好ましい。また、前記蛍光情報は側方蛍光強度であることが好ましい。
【００１３】
また、前記試料処理工程は、赤血球および成熟白血球の細胞膜に損傷を与える界面活性剤と、損傷した血球を収縮させる可溶化剤と、核酸を染色する蛍光色素と、血液学的試料とを混合することにより行なわれることが好ましい。
【００１４】
本発明の血液学的試料の測定装置は、血液学的試料に含まれる赤血球および成熟白血球の細胞膜に損傷を与え、細胞膜が損傷した血球を収縮させ、核酸を染色できる蛍光色素で染色処理する試料処理手段；前記処理された試料に光を照射することによって生じる第１散乱光情報と、第１散乱光とは角度の異なる散乱光に基づく第２散乱光情報と、蛍光情報とを取得する取得手段；前記第１散乱光情報および前記第２散乱光情報に基づいて造血前駆細胞を含む第１細胞群を特定する第１特定手段；前記第１散乱光情報および前記蛍光情報に基づいて造血前駆細胞を含む第２細胞群を特定する第２特定手段；および前記第１細胞群に含まれ且つ前記第２細胞群に含まれる細胞を造血前駆細胞として計数する計数手段を含む。
【００１５】
前記第１細胞群が、前記第１散乱光情報および前記第２散乱光情報を二軸とする第１のスキャッタグラム中に設定された造血前駆細胞の出現候補領域に出現する細胞群であり、前記第２細胞群が、前記第１散乱光情報および前記蛍光情報を二軸とする第２のスキャッタグラム中に設定された造血前駆細胞の出現候補領域に出現する細胞群であることが好ましい。
【００１６】
前記計数手段は、前記第１細胞群に含まれ且つ前記第２細胞群に含まれる細胞を、前記蛍光情報および前記第２散乱光情報を二軸とする第３のスキャッタグラム中に展開し、前記第３のスキャッタグラムに出現する細胞を造血前駆細胞として計数する手段であることが好ましい。
【００１７】
本発明の第４の測定方法を適用する場合には、本発明の測定装置は、さらに、前記蛍光情報および前記第２散乱光情報に基づいて、少なくとも成熟白血球を実質的に含まない第４細胞群を特定する第３特定手段を含み、前記計数手段は、前記第１細胞群に含まれ且つ前記第２細胞群に含まれ且つ第３特定手段で特定した細胞群に含まれる細胞を、造血前駆細胞として計数する手段であることが好ましい。
【００１８】
本発明の測定装置において、前記第１細胞群に含まれ且つ前記第２細胞群に含まれる細胞が出現しているスキャッタグラムおよび前記造血前駆細胞の計数結果のうち少なくとも１つを表示する表示部をさらに備えていてもよく、また、前記蛍光色素を励起する光を照射する光源をさらに備えていてもよい。
【００１９】
本発明の第５の測定方法は、血液学的試料に含まれる赤血球および成熟白血球の細胞膜に損傷を与え、細胞膜が損傷した血球を収縮させ、核酸を染色できる蛍光色素で染色処理する試料処理工程；処理された試料に、光を照射することによって生じる第１散乱光情報と、第１散乱光とは角度の異なる散乱光に基づく第２散乱光情報と、蛍光情報とを取得する工程；前記蛍光情報及び前記第２散乱光情報に基づいてゴースト集団以外の細胞集団を特定する工程；前記ゴースト以外の細胞集団に含まれる細胞の前記第１散乱光情報及び蛍光情報に基づいて造血前駆細胞を特定し、計数する工程を含む。
【００２０】
第５の測定方法において、前記特定工程では、前記細胞集団を、前記蛍光情報及び前記第１散乱光情報を二軸とするスキャッタグラム中に展開し、前記スキャッタグラムに前記細胞集団の出現候補領域を設定し、この出現候補領域中に出現する細胞群を前記細胞集団として特定し、前記計数工程では、前記細胞集団を前記第２散乱光情報及び前記蛍光情報を二軸とするスキャッタグラム中に展開し、前記スキャッタグラムに前記造血前駆細胞の出現候補領域を設定し、この出現候補領域中に出現する細胞群を造血前駆細胞として特定し、計数することが好ましい。
【００２１】
また、第５の測定方法において、前記試料処理工程では、前記赤血球及び前記成熟白血球の細胞膜に損傷を与える界面活性剤と、損傷した血球を収縮させる可溶化剤と、糖とを含有する試薬と前記血液学的試料とを混合することにより、前記血液学的試料に含まれる前記赤血球および前記成熟白血球の細胞膜に損傷を与え、且つ損傷した血球を収縮させることが好ましい。
【００２２】
本明細書における「造血前駆細胞（Hematopoietic Progenitor Cell: 以下、ＨＰＣともいう」とは、多能性幹細胞から各系統の血液細胞へと分化していく血液細胞分化の過程で、芽球以前の分化段階の細胞の総称である。具体的には、造血前駆細胞は、多能性幹細胞、リンパ系幹細胞、骨髄性幹細胞、赤芽球コロニー形成細胞、巨核球コロニー形成細胞、好中球・マクロファージコロニー形成細胞、好酸球形成細胞、Ｂ細胞前駆細胞、Ｔ細胞前駆細胞等を含む。
本明細書における「成熟白血球」とは、成熟リンパ球、単球、および顆粒球（好中球、好酸球、好塩基球）のことをいう。
本明細書における「血小板凝集」とは、血小板が２個以上凝集した粒子をいう。
本明細書における「細胞膜の損傷」とは、細胞膜に特定の物質が通過できるような細孔があくことをいう。
本明細書における「血液学的試料」とは、主に末梢血液をさすが、この他にも、骨髄液、アフェレーシス等によって回収された血液成分を含む試料、腹腔液、尿試料等の白血球成分を含む生体試料も好適な試料である。
【発明の効果】
【００２３】
本発明によると、血液学的試料に含まれる造血前駆細胞を正確に分類・計数することができる。
【発明を実施するための最良の形態】
【００２４】
本発明の血液学的試料の測定方法は、血液学的試料に含まれる赤血球および成熟白血球の細胞膜に損傷を与え、細胞膜が損傷した血球を収縮させ、核酸を染色できる蛍光色素で染色処理する試料処理工程；前記処理された試料に光を照射することによって生じる第１散乱光情報と、第１散乱光とは角度の異なる散乱光に基づく第２散乱光情報と、蛍光情報とを取得する取得工程；取得した蛍光情報および２種類の散乱光情報を用い、他の血球細胞と区別して造血前駆細胞を含む細胞集団を特定する工程；特定された細胞集団を造血前駆細胞として計数する計数工程を含む。
【００２５】
以下、具体的に説明する。
〔血液学的試料の処理〕
本発明の測定方法における試料処理工程は、血液学的試料と以下に述べる処理試薬とを混合することにより行なわれることが好ましい。
前記処理試薬は、血液学的試料に含まれる赤血球および成熟白血球の細胞膜に損傷を与え、細胞膜が損傷した血球を収縮させ、少なくとも核酸を染色できる試薬である。具体的には、試料に含まれる赤血球および成熟白血球の細胞膜に損傷を与える界面活性剤および少なくとも核酸を蛍光染色する蛍光色素を含む。
【００２６】
本発明で用いられる界面活性剤は、赤血球および成熟白血球の細胞膜に損傷を与える。作用機序は明確ではないが、特定の細胞膜脂質構成成分の一部を抽出する（引き抜く）ことにより、細胞膜に特定の物質が通過できるだけの細孔をあける（これを損傷とよぶ）と考えられる。そして、蛍光色素は、界面活性剤により損傷を受けた細胞の内部にまで入り込んで少なくとも核酸を染色することができる。
【００２７】
界面活性剤は、幼若白血球にも損傷を与える作用を有するが、赤血球や成熟白血球に比べて細胞の損傷に時間を要する。このため、血液学的試料と処理試薬との混合後の所定時間内では、未損傷の造血前駆細胞や幼若顆粒球などよりも、損傷を与えられた成熟白血球の方が染色されやすい状態となっている。このような結果、造血前駆細胞や幼若顆粒球は、損傷を受けて核が染色された成熟白血球と比べて、核を染める蛍光色素ではほとんど染色されないので、成熟白血球よりも蛍光強度が低くなる。
【００２８】
本発明で用いられる界面活性剤としては、ポリオキシエチレンノニオン系界面活性剤が挙げられる。具体的には、Ｒ１−Ｒ２−（ＣＨ２ＣＨ２Ｏ）ｎ−Ｈで表されるノニオン界面活性剤である。式中、Ｒ１は炭素数９〜２５のアルキル基、アルケニル基又はアルキニル基、Ｒ２は−Ｏ−、−ＣＯＯ−又は
【００２９】
【化１】
2008134062.tif 000003
であり、ｎは１０〜４０の整数である。
【００３０】
炭素数９〜２５のアルキル基としては、ノニル、デシル、ウンデシル、ドデシル、トリデシルテトラデシル等が挙げられる。炭素数９〜２５のアルケニル基としてはドデセニル、テトラデセニル等が挙げられる。炭素数９〜２５のアルキニル基としては、ドデシニル、ウンデシニル、ドデシニル等が挙げられる。
【００３１】
具体的には、ポリオキシエチレン（２０）ラウリルエーテル、ポリオキシエチレン（１５）オレイルエーテル、ポリオキシエチレン（１６）オレイルエーテル、ポリオキシエチレン（２０）オレイルエーテルなどが挙げられる。
【００３２】
界面活性剤は、水溶液の形態で用いることができる。例えば、ポリオキシエチレンノニオン系界面活性剤の水中濃度については、使用する界面活性剤の種類によって異なるが、前述のポリオキシエチレン（１６）オレイルエーテルでは、５〜５０ｇ／ｌ（好ましくは１５〜３５ｇ／ｌ）の範囲で使用できる。ポリオキシエチレン系ノニオン界面活性剤は、疎水性基の炭素数が同じであれば、ｎの値が小さくなるほど細胞を損傷する力が強く、ｎの値が大きくなるほど弱くなる。また、ｎの値が同じであれば、疎水性基の炭素数が小さくなるにつれて細胞を損傷する力が強くなる。その点を考慮し、上記の値を目安にして、必要な界面活性剤の濃度は実験により適宜求めればよい。
【００３３】
本発明で用いられる蛍光色素は、少なくとも核酸を蛍光染色する色素である。細胞膜に損傷を与えられた成熟白血球に対しては、蛍光色素が細胞膜を通過して細胞内に存在する核酸などに結合し、特に核を染めることができる。この蛍光色素による染色により、造血前駆細胞と他の白血球との間に蛍光強度の差異を生じさせることが好ましい。
【００３４】
具体的には、エチジウムブロマイド、プロピジウムアイオダイド、さらにモレキュラープローブ社から販売されているエチジウム−アクリジンヘテロダイマー、エチジウムアジド、エチジウムホモダイマー−１、エチジウムホモダイマー−２、エチジウムモノアジド、ＴＯＴＯ−１、ＴＯ−ＰＲＯ−１、ＴＯＴＯ−３、ＴＯ−ＰＲＯ−３等が挙げられる。さらに光源として、Ｈｅ−Ｎｅ、赤色半導体レーザなどを使用する場合に好適な色素として、下記（１）式で示される色素を使用できる。
【００３５】
【化２】
2008134062.tif 000004
式中、Ｒ３は水素原子、低級アルキル基又は低級アルコキシ基、Ｒ４は水素原子、アシル基、又は低級アルキル基、Ｒ５は水素原子又は置換されていてもよい低級アルキル基、Ｒ６は水素原子又は低級アルキル基、Ｒ７は水素原子、低級アルキル基又は低級アルコキシ基、およびＺは硫黄原子、酸素原子又は低級アルキル基で置換された炭素原子、ｍは１又は２、Ｘはアニオンである。
【００３６】
Ｒ３、Ｒ４、Ｒ５、Ｒ６、およびＲ７における低級アルキルとは、炭素数１〜６の直鎖又は分岐のアルキル基を意味し、例えば、メチル、エチル、プロピル、ブチル、イソブチル。ｓｅｃ−ブチル、ｔｅｒ−ブチル、ペンチル、ヘキシル基が挙げられ、中でも、メチル基、エチル基が好ましい。
Ｒ３およびＲ７における低級アルコキシ基としては、炭素数１〜６のアルコキシ基を意味し、例えば、メトキシ、エトキシ、プロポキシ等が挙げられ、中でもメトキシ基、エトキシ基が好ましい。なお、Ｒ３およびＲ７は、水素原子であることが好ましい。
Ｒ４におけるアシル基とは、脂肪族カルボン酸から誘導されたアシル基が好ましく、例えば、アセチル、プロピオニル等が挙げられ、中でもアセチル基が好ましい。
Ｒ５における置換されていてもよい低級アルキル基とは、１〜３個の水酸基、ハロゲン原子（フッ素、塩素、臭素又はヨウ素）等で置換されていてもよい低級アルキル基を意味し、中でも１個の水酸基で置換されたメチル基、エチル基が好ましい。
【００３７】
Ｚにおける低級アルキル基とは、Ｚとしては硫黄原子であることが好ましい。
Ｘ−におけるアニオンは、ハロゲンイオン（フッ素、塩素、臭素又はヨウ素イオン）、ハロゲン化ホウ素イオン（ＢＦ４−、ＢＣｌ４−、ＢＢｒ４−等）、リン化合物イオン、ハロゲン酸素酸イオン、フルオロ硫酸イオン、メチル硫酸イオン、芳香環にハロゲンあるいはハロゲンをもつアルキル基を置換基として有するテトラフェニルホウ素化合物イオン等が挙げられる。中でも臭素イオン又はＢＦ４−が好ましい。
【００３８】
上記式（１）の色素の具体的例としては、以下の色素Ａ、色素Ｂ、色素Ｃが好適である。
【００３９】
【化３】
2008134062.tif 000005
【００４０】
色素濃度は、使用する色素に応じて適宜決定できる。好ましくは、試薬中の濃度が０．０１〜５００ｐｐｍであり、より好ましくは０．１〜２００ｐｐｍである。
【００４１】
上述の界面活性剤により細胞膜は損傷して、細胞内の一部が細胞外に排出されることで細胞収縮が起る、あるいは細胞膜の表面状態の変化により細胞収縮が起るが、白血球以外の血球、特に赤血球を、有用な散乱光情報および蛍光情報を提供しないゴースト集団とするために、損傷した細胞を十分に収縮させるための可溶化剤を含むことが好ましい。
【００４２】
可溶化剤としては、具体的には、下記（２）式で表されるサルコシン誘導体あるいはその塩；
【００４３】
【化４】
2008134062.tif 000006
（式中、Ｒ１０は炭素数１０〜２２のアルキル基、ｐは１〜５の整数である。）
下記（３）式で表されるコール酸誘導体；
【００４４】
【化５】
2008134062.tif 000007
（式中、Ｒ１１は水素原子又は水酸基）
および下記（４）式
【００４５】
【化６】
2008134062.tif 000008
（式中、ｑは５〜７）
で表されるメチルグルカンアミドから選択される１又はそれ以上を用いることができる。
【００４６】
炭素数１０〜２２のアルキル基としては、デシル、ドデシル、テトラデシル、オレイル等が挙げられる。
【００４７】
具体的には、Ｎ−ラウロイルサルコシン酸ナトリウム、ラウロイルメチルβ−アラニンナトリウム、ラウロイルサルコシン、ＣＨＡＰＳ（３−〔３−コールアミドプロピル）ジメチルアンモニオ〕−１−プロパンスルホネート）、ＣＨＡＰＳＯ（３−〔３−コールアミドプロピル）ジメチルアンモニオ〕−２−ヒドロキシ−１−プロパンスルホネート）、ＭＥＧＡ８（オクタノイル−Ｎ−メチルグルカミド）、ＭＥＧＡ９（ノナノイル−Ｎ−メチルグルカミド）、ＭＥＧＡ１０（デカノイル−Ｎ−メチルグルカミド）等が挙げられる。
【００４８】
可溶化剤の濃度は、サルコシン酸誘導体あるいはその塩では、０．２〜２．０ｇ／ｌ、コール酸誘導体では０．１〜０．５ｇ／ｌ、メチルグルカンアミドでは１．０〜８．０ｇ／ｌが好ましい。
【００４９】
可溶化剤として、上記以外に、ｎ−オクチルβ−グルコシド、シュークロースモノカプレートやＮ−ホルミルメチルロイシルアラニン等を用いてもよく、０．０１〜５０．０ｇ／ｌの濃度で用いることが好ましい。
【００５０】
試薬の好ましいｐＨは、５．０〜９．０である。ｐＨをこの範囲に調整するため試薬に緩衝剤を含有させることが好ましい。緩衝剤としては、ＨＥＰＥＳ等のＧｏｏｄ緩衝液やリン酸緩衝液等が用いられ、ｐＨを調節するために水酸化ナトリウムなどが用いられる。
【００５１】
また、試薬の浸透圧は５０〜６００ｍＯｓｍ／ｋｇに調整されることが好ましく、より好ましくは５０〜３００ｍＯｓｍ／ｋｇである。試薬の浸透圧を所望の範囲に調整するために試薬に浸透圧調節剤を含有させることが好ましい。浸透圧調節剤としては、糖、アミノ酸、有機溶媒、塩化ナトリウムなどが用いられる。糖としては、グルコース、キシリトールマンニトール、アラビノース、リビトールなどを用いることができる。アミノ酸としては、アラニン、プロリン、グリシン、バリンなどを用いることができる。有機溶媒としては、エチレングリコール、グリセリンなどを用いることができる。試薬中の浸透圧調節剤の濃度は、分子量により適宜調節されるが、例えばキシリトールを用いる場合は１０〜７５ｇ／ｌが好ましく、グリセリンを用いる場合は５〜４５ｇ／ｌが好ましく、グリシンを用いる場合は５〜４５ｇ／ｌが好ましい。
【００５２】
尚、処理試薬は、界面活性剤、色素、その他の成分を含有する一液型の試薬であってもよいし、蛍光色素を含む染色液と、上述の界面活性剤を含む溶液（溶血剤）とを別々の容器に収容し、これらを備えた試薬キットとすることもできる。この場合、色素の保存安定性を高めるために、蛍光色素の溶媒としてエチレングリコール等の水溶性有機溶媒を用いることが好ましい。
【００５３】
〔測定用試料の調製〕
上記処理試薬を含む溶液と血液学的試料を混合することにより、測定用試料を調製することができる。上述の試薬キットを使用する場合には、まず、界面活性剤を含む溶液（溶血剤）と血液学的試料とを混合し、次いで染色液を混合して、測定用試料としてもよい。
【００５４】
血液学的試料と処理試薬との混合は、試料：処理試薬の比が１：１０〜１：１０００、反応温度が２０〜４０℃であることが好ましく、反応時間は、３秒〜５分間、より好ましくは４秒〜１分である。
【００５５】
このようにして調製される測定用試料において、赤血球および成熟白血球は、細胞が収縮してサイズが小さくなっている。特に、赤血球は核がないため、細胞膜損傷による溶血、細胞収縮が進み、蛍光色素による染色もほとんどされないことから、前方散乱光、側方散乱光、および蛍光のいずれも小さくなり、ゴースト集団として扱うことができる。
【００５６】
一方、成熟白血球は、血液学的試料と試薬とを所定の時間反応させると細胞膜が損傷することによって細胞収縮するが、核は実質的に収縮しないため、赤血球ほど小さくならない。さらに、損傷した膜を蛍光色素が透過することができるので、少なくとも核が染色される。
【００５７】
造血前駆細胞は、成熟白血球や赤血球に比べて溶血剤に対して耐性を有するので、細胞膜の損傷に時間がかかる。従って、所定の反応時間内では細胞収縮が実質的におこらず、また蛍光色素が透過できないので、核もほとんど染色されない。
【００５８】
試料に含まれる血小板細胞については、処理試薬によって造血前駆細胞と同様に膜損傷に時間を要する。色素は血小板内には進入しないが、凝集体の周囲に色素が物理的に吸着して、染色される。
【００５９】
〔散乱光情報および蛍光情報の取得〕
調製した測定用試料はフローサイトメータに導入され、試料中に含まれる細胞、血小板などの散乱光情報および蛍光情報が取得され得る。
【００６０】
情報の取得は、測定用試料をフローサイトメータのフローセルに導入し、前記フローセル内を流れる試料に前記蛍光色素を励起できる励起光を照射することにより行なうことが好ましい。これにより、フローセルを通過する細胞から発される散乱光情報および蛍光情報を取得することができる。
【００６１】
照射光は、使用する蛍光色素を励起することができる波長の光を含む。使用するフローサイトメータに備え付けられている光源の光の波長に応じて、その光で励起できる蛍光色素を選択してもよい。
散乱光情報としては、角度の異なる二種類の散乱光情報を取得することが好ましい。具体的には前方散乱光と側方散乱光の組み合わせが好ましく用いられる。
【００６２】
前方散乱光情報は、細胞のサイズが反映された情報であると考えられる。つまり、細胞が大きいと前方散乱光も大きい。側方散乱光とは、前方散乱光に対して、角度が８０〜１００度、好ましくは８５〜９５度異なる散乱光である。側方散乱光からは、細胞の内部情報、特に核や顆粒の情報を得ることができる。顆粒を含んでいたり、核の形がいびつな場合には側方散乱光は大きくなる傾向にある。
【００６３】
所定の反応時間内では、蛍光色素は血小板の内部には殆ど進入できないため、血小板自体が殆ど染色されることはない。しかしながら、蛍光色素は血小板凝集体の周囲や血小板同士が接着している部分に結合するため、測定用試料において、凝集体が大きくなると蛍光強度が大きくなる。一方、血小板凝集が少なく凝集体が小さいときには、側方散乱光強度は小さくなり、付着する蛍光色素は少なくなるので、結果として蛍光強度も小さくなる。
【００６４】
〔細胞群の特定および造血前駆細胞の計数〕
取得した散乱光情報および蛍光情報を用いて、目的の細胞群を特定し、造血前駆細胞を計数する。本発明の測定方法は、以下の第１の測定方法〜第５の測定方法に分類できる。以下、順に説明する。
【００６５】
（１）第１の測定方法
第１の測定方法では、取得した第１散乱光情報および第２散乱光情報に基づいて、骨造血前駆細胞を含む第１細胞群を特定し（第１特定工程）、取得した第１散乱光情報および前記蛍光情報に基づいて、造血前駆細胞を含む第２細胞群を特定し（第２特定工程）、第１細胞群に含まれ且つ第２細胞群に含まれる細胞を造血前駆細胞として計数する。第１特定工程と第２特定工程の順序はいずれが先であってもよい。
【００６６】
（１−１）第１細胞群
第１細胞群は、取得された２種類の散乱光情報、好ましくは前方散乱光強度および側方散乱光強度に基づいて特定される。第１細胞群は、この２種類の散乱光情報を二軸とするスキャッタグラム（第１スキャッタグラム）中で、造血前駆細胞が出現すると考えられる領域を設定することにより特定されることが好ましい。また、検体によって造血前駆細胞の染色の程度や大きさが異なるため、第１細胞群が出現する領域の設定は検体毎に行なわれることが好ましい。
【００６７】
第１細胞群が出現する領域の具体的設定方法の一例としては、２種類の散乱光情報を二軸とするスキャッタグラム中に造血前駆細胞が出現すると考えられる位置に細胞集団が認められた場合、先ずこの集団の中心を特定する。造血前駆細胞の細胞集団の中心から、他の細胞集団の出現領域までの間で、造血前駆細胞集団の細胞が出現している部分までを、第１細胞群の出現領域の境界として決定することができる。同様にして、他の細胞集団（幼若顆粒球、顆粒球、リンパ球、単球）が出現すると考えられる位置に細胞集団が認められた場合、各集団の中心を特定するとともにその出現領域を特定する。
これらの領域は、使用する色素、濃度に応じて、種々のサイズの造血前駆細胞について蓄積されたデータから、予めスキャッタグラム中に領域を設定しておいてもよい。
【００６８】
たとえば、縦軸に前方散乱光強度（第１散乱光情報）、横軸に側方散乱光強度（第２散乱光情報）を二軸とするスキャッタグラム中で、各細胞が出現すると考えられる領域を設定すると、一般に図１のようになる。図１中、「ＨＰＣ」は造血前駆細胞出現領域であり、「ＩＧ」は幼若顆粒球出現領域、「Ｇｒａｎ」は顆粒球出現領域、「Ｌｙ」はリンパ球出現領域、「Ｍｏ」は単球の出現領域である。
【００６９】
造血前駆細胞は、側方散乱光強度が弱いため、スキャッタグラム中、比較的左側の領域に現れる。一方、顆粒球、幼若顆粒球は、その核の形態のいびつさなどから、比較的側方散乱光が大きい右側に出現するので、これらの集団は造血前駆細胞出現領域とは離れた領域に出現することになる。従って、第１細胞群の出現領域としては、ＨＰＣ部分を囲むような一点鎖線で示す領域を設定すればよい。
【００７０】
血小板凝集は、凝集の仕方によって側方散乱光強度も小さいものから大きいものまであり、また、凝集体の大きさも血小板数個〜数１０個と様々であることから、前方散乱光強度も小さいものから大きいものまで存在する。但し、凝集体のサイズといびつさには相関性があることから、図１に示すスキャッタグラムにおいて、左下から右上に向けた領域（点線で囲まれた領域）に現れることになり、ＨＰＣの領域（第１細胞群の出現領域）と重なることはない。
【００７１】
図１によれば、第１細胞群は、血小板凝集や他の血球成分と区別されているので、第１細胞群を造血前駆細胞として計数することが可能とも考えられる。しかしながら、試料によってはサイズが大きいリンパ球が含まれることがあり、稀であるが、リンパ球の出現領域の一部が第１細胞群の出現領域に重なることがある。
【００７２】
（１−２）第２細胞群
第２細胞群は、取得した第１散乱光情報および蛍光情報、好ましくは、前方散乱光情報および蛍光情報に基づいて特定される。第２細胞群は、前方散乱光強度および蛍光強度を二軸とするスキャッタグラム（第２スキャッタグラム）中で造血前駆細胞が出現すると考えられる領域に含まれる細胞集団である。
【００７３】
造血前駆細胞や幼若顆粒球は、所定の反応時間内では処理試薬による膜損傷が実質的にないので、染色されず、蛍光強度が低い左側領域に出現する。従って、造血前駆細胞が出現すると考えられる領域には、幼若白血球も出現することがある。一方、顆粒球、リンパ球、単球は、所定の反応時間で処理試薬による膜損傷を受けて核染色されるので、蛍光強度が高い右側領域に出現することになり、所定の反応時間内では実質的に核染色されない幼若白血球の集団とは明確に区別できる。すなわち、造血前駆細胞を含む幼若白血球の出現領域には、成熟白血球は実質的には出現しない。
【００７４】
第２細胞群の出現領域の具体的特定方法としては、まずスキャッタグラム中で造血前駆細胞が出現すると考えられる位置に細胞集団が認められた場合、この集団の中心を特定する。造血前駆細胞の細胞集団の中心から、成熟白血球の細胞集団の細胞集団の出現領域までの間で、造血前駆細胞集団の細胞が出現している部分までを、第２細胞群の出現領域の境界として決定することができる。また、同様にして、他の細胞集団（幼若顆粒球、顆粒球、リンパ球、単球）が出現すると考えられる位置に細胞集団が認められた場合、各集団の中心を特定するとともにその出現領域を特定する。これらの領域は、使用する色素、濃度に応じて、種々のサイズの造血前駆細胞について蓄積されたデータから、予め設定しておいてもよい。
【００７５】
具体的には、図２に示すように、蛍光強度を横軸、前方散乱光強度を縦軸とするスキャッタグラムにおいて、第２細胞群は、蛍光強度が低い左側領域の一点鎖線で囲まれた領域に含まれる集団となる。図２中、「ＨＰＣ」は造血前駆細胞出現領域であり、「ＩＧ」は幼若顆粒球出現領域、「Ｇｒａｎ」は顆粒球出現領域、「Ｌｙ」はリンパ球出現領域、「Ｍｏ」は単球出現領域である。
【００７６】
尚、血小板凝集の染色は、物理的に吸着する程度なので、左側領域に出現する。また、凝集の程度により、造血前駆細胞よりも小さなサイズから大きいサイズがのものが存在し得るので、図２のように、前方散乱光強度が小さいところから、大きいところまで、縦長に伸びた領域に出現する。
【００７７】
（１−３）造血前駆細胞の計数
以上のようにして特定した第１細胞群に含まれ且つ第２細胞群に含まれる細胞を造血前駆細胞として計数する。
【００７８】
第１細胞群に含まれる可能性があるリンパ球は、第２細胞群には含まれていない。一方、第２細胞群に含まれる可能性がある血小板凝集、幼若白血球は、第１細胞群には含まれていない。従って、第１細胞群に含まれ且つ第２細胞群に含まれる細胞は、リンパ球、血小板凝集、幼若白血球を含まず、実質的に造血前駆細胞だけであるといえる。よって、第１細胞群に含まれ且つ第２細胞群に含まれる細胞を造血前駆細胞として計数することで、正確に造血前駆細胞を計数することができる。
【００７９】
なお、前記第１細胞群に含まれ且つ前記第２細胞群に含まれる細胞を、蛍光情報および第２散乱光情報を二軸とするスキャッタグラム（第３スキャッタグラム）中に展開してもよい。この第３スキャッタグラムに出現する細胞は、実質的に造血前駆細胞のみの集団である。
【００８０】
第１散乱光情報は、好ましくは前方散乱光強度であり、第２散乱光情報は好ましくは側方散乱光強度である。第１細胞群に含まれ且つ第２細胞群に含まれる細胞について、蛍光強度および側方散乱光強度を二軸とするスキャッタグラム（第３スキャッタグラム）に展開すると、例えば図３に示すようなスキャッタグラムが得られる。このスキャッタグラムには、第１細胞群に含まれ且つ第２細胞群に含まれる細胞、すなわち実質的に造血前駆細胞だけが出現していることになるから、ここに出現した細胞を造血前駆細胞として計数することもできる。
【００８１】
（２）第２の測定方法
第１の測定方法では、第１特定工程および第２特定工程を個別に行なって、第１細胞群および第２細胞群をそれぞれ特定したが、第１細胞群（又は第２細胞群）を先に特定し、次いで第２細胞群（又は第１細胞群）を、先に特定した第１細胞群（又は第２細胞群）の中から特定するようにしてもよい。
すなわち、第２の測定方法は、取得した第１散乱光情報および蛍光情報に基づいて、造血前駆細胞を含む第２細胞群を特定し（第２特定工程）、次いで、特定した第２細胞群の第１散乱光情報および第２散乱光情報に基づいて、前記第２細胞群の中から第１細胞群を特定して(第２の測定方法に特化して言及する場合には、この特定工程を「第１’特定工程」、第１’特定工程で特定される第１細胞群を「第１’細胞群」という）、この第１’細胞群を造血前駆細胞として計数する。あるいは取得した第１散乱光情報および第２散乱光情報に基づいて、造血前駆細胞を含む第１細胞群を特定し（第１特定工程）、次いで特定した第１細胞群の第１散乱光情報および蛍光情報に基づいて、前記第１細胞群の中から第２細胞群を特定し(第２の測定方法に特化して言及する場合には、この特定工程を「第２’特定工程」、第２’特定工程で特定される第２細胞群を「第２’細胞群」という）、この第２’細胞群を造血前駆細胞として計数する。
【００８２】
第１特定工程および第１細胞群、第２特定工程および第２細胞群は、それぞれ取得工程で取得した散乱光情報および蛍光情報に基づいて特定され、その具体的手法は、上記第１の測定方法と同様であるから、説明を省略する。
【００８３】
（２−１）第２’細胞群の特定と造血前駆細胞の計数
第２’特定工程においては、先に特定した第１細胞群の第１散乱光情報（好ましくは前方散乱光強度）および蛍光情報（好ましくは蛍光強度）に基づいて、前記第１細胞群の中から、造血前駆細胞を含む集団を特定する（第２’細胞集団の特定）。このようにして特定される第２’細胞群は、第１測定方法における第１細胞群に含まれ且つ第２細胞群に含まれる細胞に該当する。  
【００８４】
第２’細胞集団の特定は、具体的には次のようにして行なわれる。
先ず第１散乱光情報および第２散乱光情報を軸とするスキャッタグラム（第１スキャッタグラム）を作成し、このスキャッタグラムに全ての有形成分（細胞、血小板等）を展開する。この第１のスキャッタグラム中で造血前駆細胞の出現候補領域を設定し、この領域内に出現する第１細胞群を特定する。次に、第１散乱光情報および蛍光情報を二軸とするスキャッタグラム（第２’スキャッタグラム）を作成し、このスキャッタグラムに第１細胞群のみ展開する。第２’スキャッタグラム中で、造血前駆細胞が出現すると考えられる領域に含まれる細胞集団が、第２’細胞群である。第１散乱光情報および蛍光情報を二軸とする第２’スキャッタグラムでは、成熟白血球と幼若白血球が明確に区別されるので、たとえ第１細胞群にリンパ球が含まれていたとしても、第２’スキャッタグラムに展開された第２’細胞群には、リンパ球が含まれない。即ち、第２’細胞群は、実質的に血小板凝集、リンパ球などの他の成分を含まない造血前駆細胞の集団である。従って、第２’細胞群に含まれる細胞を造血前駆細胞として計数すればよい。
【００８５】
（２−２）第１’細胞群の特定および造血前駆細胞の計数
第１’特定工程は、先に第２特定工程により第２細胞群を特定し、特定した第２細胞群の第１散乱光情報（好ましくは前方散乱光強度）および第２散乱光情報（好ましくは側方散乱光強度）に基づいて、前記第２細胞群の中から、造血前駆細胞を含む集団を特定する（第１’細胞集団の特定）。このようにして特定される第１’細胞群は、第１測定方法および第２測定方法における第１細胞群に含まれ且つ第２細胞群に含まれる細胞に該当する。
【００８６】
第１’細胞集団の特定は、具体的には次のようにして行なわれる。
先ず、取得した第１散乱光情報（好ましくは前方散乱光強度）および蛍光情報（好ましくは蛍光強度）を、第１散乱光情報および蛍光情報を二軸とするスキャッタグラム（第２スキャッタグラム）を作成し、このスキャッタグラムに全ての有形成分（細胞、血小板等）を展開する。この第２スキャッタグラム中で造血前駆細胞を含む第２細胞群の出現候補領域を特定する。次に、第１散乱光情報および第２散乱光情報を二軸とするスキャッタグラム（第１’スキャッタグラム）を作成し、このスキャッタグラムに上記で特定した第２細胞群のみを展開する。第１’スキャッタグラム中で、造血前駆細胞が出現すると考えられる領域に含まれる細胞集団が、第１’細胞群である。第１散乱光情報および第２散乱光情報を二軸とする第１’スキャッタグラムでは、幼若白血球および血小板凝集が、造血前駆細胞が出現する領域とは明確に区別できる領域に出現するので、第１’細胞群には、実質的に血小板凝集、リンパ球、幼若白血球などの他の成分は含まれない。従って、第１’細胞群に含まれる細胞を造血前駆細胞として計数すればよい。
【００８７】
（３）第３の測定方法
第１および第２の測定方法では、第１細胞集団（又は第１’細胞集団）および第２細胞集団（又は第２’細胞集団）の特定にあたり、いずれの特定工程においても、２種類の情報に基づいて、それぞれの細胞集団を個別に特定し、第１細胞集団に含まれ且つ第２細胞集団に含まれる細胞集団を特定し、これを造血前駆細胞として計数したが、第３の測定方法は、取得した第１散乱光情報、第２散乱光情報、および蛍光情報を用いて、第１細胞集団と第２細胞集団を単一の工程で特定し、第１細胞集団および第２細胞集団の双方に含まれる細胞を決定し、それを造血前駆細胞として計数してもよい。
【００８８】
すなわち、第３の測定方法では、取得した第１散乱光情報および第２散乱光情報に基づいて造血前駆細胞を含む第１細胞群を特定するとともに、取得した第１散乱光情報および蛍光情報に基づいて造血前駆細胞を含む第２細胞群を特定し、第１細胞群に含まれ且つ前記第２細胞群に含まれる細胞を造血前駆細胞として計数する。
【００８９】
具体的には、第１の散乱光情報、第２の散乱光情報、および蛍光情報を三軸とする三次元のスキャッタグラムに展開し、第１散乱光情報（好ましくは前方散乱光強度）および第２散乱光情報（好ましくは側方散乱光強度）に基づいて造血前駆細胞を含む第１細胞群を特定するとともに、第１散乱光情報（好ましくは前方散乱光強度）および蛍光情報（好ましくは蛍光強度）に基づいて造血前駆細胞を含む第２細胞群を特定する。このときの第１細胞群の特定方法、第２細胞群の特定方法は、第１の測定方法の場合と同様にして行なうことができる。要するに、三次元のスキャッタグラムにおいて、第１細胞群の特定と第２細胞群の特定を同時に行なうことができ、さらに第１細胞群に含まれ且つ第２細胞群に含まれる細胞を特定することができる。第１の測定方法で述べたように、第１細胞群に含まれ且つ第２細胞群に含まれる細胞は、実質的に血小板凝集、リンパ球等の他の細胞成分を含んでいない。従って、三次元スキャッタグラムで、第１細胞群に含まれ且つ第２細胞群に含まれる細胞を、造血前駆細胞として計数すれば、高精度に造血前駆細胞を計数できる。
【００９０】
（４）第４の測定方法
第４の測定方法は、取得した第１散乱光情報および蛍光情報に基づいて特定する細胞群として、造血前駆細胞を含む第２細胞群に代えて、ゴースト集団以外の細胞（本発明で用いられる測定用試料においては、赤血球は細胞収縮によりゴースト集団となっているので、実質的に全白血球）を含む第３細胞群を特定した場合に適用される方法である。
【００９１】
すなわち、第４の測定方法では、取得した第１散乱光情報および前記第２散乱光情報に基づいて、造血前駆細胞を含む第１細胞群を特定し（第１特定工程）、取得した第１散乱光情報および蛍光情報に基づいて、全白血球を含む第３細胞群を特定し（第３特定工程）、前記第３細胞群の第２散乱光情報および蛍光情報に基づいて、前記第３細胞群の中から、成熟白血球を実質的に含まない第４細胞群を特定し（第４特定工程）、前記第１細胞群に含まれ且つ前記第４細胞群に含まれる細胞を計数する。
【００９２】
第１特定工程および第１細胞群は、第１の測定方法と同様であるから、説明を省略する。
（４−１）第３特定工程および第３細胞群
第３細胞群は、前方散乱光強度および蛍光強度を二軸とするスキャッタグラムにおいて、赤血球ゴースト集団が出現する領域を除いた領域に出現する細胞集団、すなわち実質的に全白血球の集団である。具体的には、蛍光強度を横軸、前方散乱光強度を縦軸とするスキャッタグラムを描いた場合に、図４に示すように、一点鎖線で囲まれる領域に出現する細胞集団が、第３細胞群となる。尚、第３細胞群の出現領域には、図２で示したように、血小板凝集も含まれていることになる。
【００９３】
（４−２）第４特定工程および第４細胞群
第４細胞群は、第３細胞群の第２散乱光情報および蛍光情報、好ましくは側方散乱光情報および蛍光情報に基づいて特定される。蛍光強度および側方散乱光強度を二軸とするスキャッタグラム中に第３細胞群を展開した場合、成熟白血球が出現する領域と幼若白血球が出現する領域とが明確に区別されるので、蛍光強度および側方散乱光強度を二軸とするスキャッタグラム中で造血前駆細胞が含まれると考えられる領域を特定すれば、幼若白血球を含む細胞集団、さらには造血前駆細胞を含む集団の出現領域を特定することができる。ここでの造血前駆細胞の出現候補領域の特定は、第１細胞群や第２細胞群の特定と同様に、検体毎に行なわれることが好ましい。また、使用する色素、濃度に応じて、種々のサイズの造血前駆細胞、成熟白血球について蓄積されたデータから、予め設定しておいてもよい。
【００９４】
側方散乱光強度を横軸、蛍光強度を縦軸とするスキャッタグラムにおいて、第３細胞群を展開すると、図５に示すように、成熟白血球（リンパ球、単球、および顆粒球）は、核が染色されているので上方に出現し、実質的に核染色されない幼若白血球と明確に区別できる。成熟白血球は、核の形態等に応じて、左側から順にリンパ球集団（Ｌｙ）、単球集団（Ｍｏ）、顆粒球集団（Ｇｒａｎ）となって出現する。血小板凝集は、下方に、左側から右側にかけて出現する。従って、側方散乱光強度が低い左側領域で、蛍光強度の比較的低い位置から中程度に位置する、造血前駆細胞を含む一点鎖線で囲まれた領域内の細胞集団を第４細胞群として特定すればよい。造血前駆細胞と幼若顆粒球とは、核の形態、複雑性が異なるので、側方散乱光強度の大きさで両者を区別することが可能であるが、両者を明確に区別するためのゲーティングが困難なときは、造血前駆細胞と幼若顆粒球の双方が含まれる幼若顆粒球の出現領域に含まれる細胞集団を第４細胞群としてもよい。
【００９５】
（４−３）造血前駆細胞の特定および計数
以上のようにして特定された第１細胞群に含まれ且つ第４細胞群に含まれる細胞を計数する。第１細胞群は血小板凝集が含まれておらず、第４細胞群には成熟白血球が含まれていないので、第１細胞群に含まれ且つ第４細胞群に含まれる細胞は、実質的に血小板凝集、成熟白血球が含まれない造血前駆細胞あるいは幼若白血球の集団である。すなわち、たとえ第１細胞群にリンパ球が含まれていたとしても、第１細胞群に含まれ且つ第４細胞群に含まれる細胞には、リンパ球が除かれているので、実質的に造血前駆細胞あるいは幼若白血球を、高精度に計数することができる。
【００９６】
（５）第５の測定方法
第５の測定方法では、第４の測定方法の第３特定工程を実行して第３細胞群を特定し、第４特定工程を実行して第３細胞群のうち第４細胞群を特定し、これを造血前駆細胞として計数する。第３特定工程および第３細胞群については上記（４−１）で記した通りであり、第４特定工程および第４細胞群については上記（４−２）で記した通りである。
【００９７】
第５の測定方法では、第４細胞群を造血前駆細胞としているため、血小板凝集の影響を完全に排除できない可能性がある。しかしながら、Ｇ−ＣＳＦ投与後の造血前駆細胞量のモニタリングの際は造血前駆細胞が末梢血中に多量に動員されるため、造血前駆細胞の概数がわかればよく、血小板凝集の値は無視できるほどの量である。よって、このような場合は第１〜第４の測定方法のように高精度な測定値を必要としない第５の測定方法をも好適に用いられる。
【００９８】
〔弁別方法〕
本発明の血液学的試料に含まれる造血前駆細胞と血小板凝集とを弁別する方法は、本発明の測定方法における試料処理工程；前記処理された試料に光を照射することによって生じる前方散乱光情報と、側方散乱光情報とを取得する工程；および前記前方散乱光情報と前記側方散乱光情報とに基づいて、造血前駆細胞を含む第１細胞群を特定することで、造血前駆細胞を含む細胞集団と血小板凝集とを弁別する方法である。
【００９９】
上述のように、前方散乱光情報と側方散乱光情報とを二軸とするスキャッタグラムにおいて、造血前駆細胞が出現すると考えられる領域を特定した場合、血小板凝集が出現すると考えられる領域とは明確に区別されているので、血液学的試料に含まれる造血前駆細胞と血小板凝集とを弁別することができる。
【０１００】
〔血液学的試料の測定装置〕
本発明の測定装置は、血液学的試料に含まれる赤血球および成熟白血球の細胞膜に損傷を与え、細胞膜が損傷した血球を収縮させ、核酸を染色できる蛍光色素で染色処理する試料処理手段；前記処理された試料に光を照射することによって生じる第１散乱光情報と、第１散乱光とは角度の異なる散乱光に基づく第２散乱光情報と、蛍光情報とを取得する取得手段；前記第１散乱光情報および前記第２散乱光情報に基づいて造血前駆細胞を含む第１細胞群を特定する第１特定手段；前記第１散乱光情報および前記蛍光情報に基づいて造血前駆細胞を含む第２細胞群を特定する第２特定手段；および前記第１細胞群に含まれ且つ前記第２細胞群に含まれる細胞を造血前駆細胞として計数する計数手段を含む。
【０１０１】
本発明の測定装置は、例えば図６に示すような外観を有している。
図６に示す装置は、測定部１と、解析部２と、解析部２と測定部１とを接続する信号ケーブル３とを有する。測定部１に本発明の装置の試料処理手段および取得手段が含まれ、解析部２に本発明の第１特定手段、第２特定手段および計数手段が含まれる。
測定部１は、操作者が各種設定入力を行うための液晶タッチパネル１０、測定動作を開始するためのスタートスイッチ１１、および検体を吸引するためのプローブ１２を備えている。また、測定部１の内部には、図７に示されるようなフローサイトメータが搭載されている。解析部２は、測定部１から送信された情報の処理や、測定部１の動作を制御する制御部６と、各種測定結果などを表示する表示部たる出力部７と、操作者が検体情報等を入力するためのキーボード８とを備えている。
【０１０２】
次に、図７に示されるフローサイトメータについて説明する。
光源（例えば赤半導体レーザ：波長６３３ｎｍ）２１から出射されたビームは、コリメートレンズ２２を介してシースフローセル２３のオリフィス部を照射する。ノズル２０から吐出されたオリフィス部を通過する血球から発せられる前方散乱光は集光レンズ２４とピンホール板２５を介して前方散乱光検出器（フォトダイオード）２６に入射する。一方、オリフィス部を通過する血球から発せられる側方散乱光は、集光レンズ２７とダイクロイックミラー２８を介して側方散乱光検出器（フォトマルチプライアチューブ）２９に入射する。また、オリフィス部を通過する血球から発せられる側方蛍光は、集光レンズ２７とダイクロイックミラー２８とフィルタ２８’とピンホール板３０を介して側方蛍光検出器（フォトマルチプライアチューブ）３１に入射する。前方散乱光検出器２６から出力される前方散乱光信号と、側方散乱光検出器２９から出力される側方散乱光信号と、側方蛍光検出器３１から出力される側方蛍光信号とは、それぞれアンプ３２，３３，３４により増幅され、制御部６に入力される。
【０１０３】
なお、前記光源２１は、試料の処理に用いた色素を励起できる光を、調製した測定用試料を導入したフローセルのオリフィス部に光を照射するもので、試料中の血球を染色する蛍光色素に応じたものが選ばれる。従って、使用する蛍光色素の種類により、赤色半導体レーザの他、例えば、アルゴンレーザ、Ｈｅ−Ｎｅレーザ、青色半導体レーザなどが用いられてもよい。
【０１０４】
図８は、制御部６の構成を示すブロック図である。この制御部６は、ＣＰＵ６aと、ROM６ｂと、RAM６ｃと、ハードディスク６ｄと、入出力インタフェース６eと、画像出力インタフェース６ｆと、通信インタフェース６ｇとから主として構成されており、ＣＰＵ６a、ＲＯＭ６ｂ、ＲＡＭ６ｃ、ハードディスク６ｄ、入出力インタフェース６e、出力インタフェース６ｆ、および通信インタフェース６ｇは、バス６ｈによってデータ通信可能に接続されている。
【０１０５】
ＣＰＵ６aは、ＲＯＭ６ｂおよびハードディスク６ｄに記憶されているコンピュータプログラムおよびＲＡＭ６ｃに読み出されたコンピュータプログラムを実行することが可能である。従って、測定部１、具体的にはフローサイトメータから入力された前方散乱光信号、側方散乱光信号、および蛍光信号に基づいて、設定されたプログラムの演算処理を行ない、第１細胞群、第２細胞群といった細胞群を特定し、さらに造血前駆細胞を計数する。
【０１０６】
ＲＯＭ６ｂは、ＣＰＵ６aに実行させるためのコンピュータプログラムおよび当該コンピュータプログラムの実行に用いるデータ等を記憶している。ＲＡＭ６ｃは、ＲＯＭ６ｂおよびハードディスク６ｄに記憶されているコンピュータプログラムの読み出し、およびコンピュータプログラムを実行するときのCPU６aの作業領域に用いられる。ハードディスク６ｄは、ＣＰＵ６aに実行させるためのコンピュータプログラムおよび当該コンピュータプログラムの実行に用いるデータを記憶している。このコンピュータプログラムは、光学的情報を分析し、分析結果を出力するための機能を果たす。
【０１０７】
入出力インタフェース６eには、キーボード８が接続されている。入力部たるキーボード８は、出力画面上における操作等のために設けられている。出力インタフェース６ｆは、液晶ディスプレイからなる出力部７に接続されている。出力部７は、制御部６で得られた分析結果を出力表示する等のために設けられている。通信インタフェース６ｇは、測定部１に接続されており、光学的情報を受信するための機能を果たす。
【０１０８】
次に、制御部６における情報処理の実施態様について説明する。
図９は、本発明の第１の測定方法に対応する情報処理を示すフローチャートの一例である。制御部６は、測定部１で検出された前方散乱光信号、側方散乱光信号および蛍光信号を、信号ケーブル３を介して受信する（ステップＳ１）。制御部６はこれらの信号を解析し、それぞれの信号強度を算出する（ステップＳ２）。次に、試料中の有形成分（細胞や血小板など）の前方散乱光強度および側方散乱光強度を用い、前方散乱光強度および側方散乱光強度を二軸とする第１スキャッタグラムを作製する（ステップＳ３）。第１スキャッタグラム中、造血前駆細胞が出現すると考えられる造血前駆細胞候補領域を設定し、この領域内に含まれる第１細胞群を特定する（ステップＳ４）。また、試料中の有形成分の前方散乱光強度および蛍光強度を用い、前方散乱光強度および蛍光強度を二軸とする第２スキャッタグラムを作成する（ステップＳ５）。第２スキャッタグラム中、造血前駆細胞が出現すると考えられる造血前駆細胞候補領域を設定し、この領域内に含まれる第２細胞群を特定する（ステップＳ６）。次いで、第１細胞群に含まれ且つ第２細胞群に含まれる細胞の蛍光強度および側方散乱光強度を用いて、蛍光強度および側方散乱光強度を二軸とする第３スキャッタグラムを作成する（ステップＳ７）。この第３スキャッタグラムに出現する細胞（第１細胞群に含まれ、且つ第２細胞群にも含まれる細胞）を造血前駆細胞として計数し（ステップＳ８）、この計数結果と第３スキャッタグラムとを出力部７に出力する（ステップＳ９）。
なお、図９のフローチャートにおいて、ステップＳ３およびステップＳ４の後にステップＳ５およびステップＳ６を実行するのではなく、ステップＳ３およびステップＳ４の前にステップＳ５およびステップＳ６を実行してもよい。
【０１０９】
図１０は、本発明の第２の測定方法のうち、第１細胞群を先に特定する方法に対応する情報処理を示すフローチャートである。制御部６は、測定部１で検出された前方散乱光信号、側方散乱光信号および蛍光信号を、信号ケーブル３を介して受信する（ステップＳ１）。制御部６はこれらの信号を解析し、それぞれの信号強度を算出する（ステップＳ２）。次に、試料中の有形成分（細胞や血小板など）の前方散乱光強度および側方散乱光強度を用い、前方散乱光強度および側方散乱光強度を二軸とする第１スキャッタグラムを作成する（ステップＳ３）。第１スキャッタグラム中、造血前駆細胞が出現すると考えられる造血前駆細胞候補領域を設定し、この領域内に含まれる第１細胞群を特定する（ステップＳ４）。第１細胞群の前方散乱光強度および蛍光強度を用い、前方散乱光強度および蛍光強度を二軸とするスキャッタグラム（第２’スキャッタグラム）を作成する（ステップＳ５）。第２’スキャッタグラム中、造血前駆細胞が出現すると考えられる造血前駆細胞候補領域を設定し、この候補領域に含まれる第２’細胞群を特定する（ステップＳ６）。この第２’細胞群を造血前駆細胞として計数し（ステップＳ７）、この計数結果と第２’スキャッタグラムを出力部７に出力する（ステップＳ８）。
【０１１０】
図１１は、本発明の第２の測定方法のうち、第２細胞群を先に特定する方法に対応する情報処理を示すフローチャートである。制御部６は、測定部１で検出された前方散乱光信号、側方散乱光信号および蛍光信号を、信号ケーブル３を介して受信する（ステップＳ１）。制御部６はこれらの信号を解析し、それぞれの信号強度を算出する（ステップＳ２）。次に、試料中の有形成分（細胞や血小板など）の前方散乱光強度および蛍光強度を用い、前方散乱光強度および蛍光強度を二軸とする第２スキャッタグラムを作成する（ステップＳ３）。第２スキャッタグラム中、造血前駆細胞が出現すると考えられる造血前駆細胞候補領域を設定し、この領域内に含まれる第２細胞群を特定する（ステップＳ４）。次に、第２細胞群の前方散乱光強度および側方散乱光強度を用い、前方散乱光強度および側方散乱光強度を二軸とするスキャッタグラム（第１’スキャッタグラム）を作成する（ステップＳ５）。第１’スキャッタグラム中、造血前駆細胞が出現すると考えられる造血前駆細胞候補領域を設定し、この候補領域内に含まれる第１’細胞群を特定する（ステップＳ６）。この第１’細胞群を造血前駆細胞として計数し（ステップＳ７）、この計数結果と第１’スキャッタグラムを出力部７に出力する（ステップＳ８）。
【０１１１】
図１２は、本発明の第３の測定方法に対応する情報処理を示すフローチャートである。制御部６は、測定部１で検出された前方散乱光信号、側方散乱光信号および蛍光信号を、信号ケーブル３を介して受信する（ステップＳ１）。制御部６はこれらの信号を解析し、それぞれの信号強度を算出する（ステップＳ２）。次に、試料中の有形成分（細胞や血小板など）の前方散乱光強度、側方散乱光強度および蛍光強度を三軸とする三次元スキャッタグラムを作成する（ステップＳ３）。この三次元スキャッタグラムにおいて、前方散乱光強度および側方散乱光強度に基づく第１細胞群と、前方散乱光強度および蛍光強度に基づく第２細胞群とを特定する（ステップＳ４）。この三次元スキャッタグラム中で第１細胞群に含まれ且つ第２細胞群にも含まれる細胞が出現する造血前駆細胞領域を設定し、この領域に出現する細胞を造血前駆細胞として計数する（ステップＳ５）。造血前駆細胞の計数結果と三次元スキャッタグラムとを出力部７に出力する（ステップＳ８）。
【０１１２】
図１３は、本発明の第４の測定方法に対応する情報処理を示すフローチャートである。制御部６は、測定部１で検出された前方散乱光信号、側方散乱光信号および蛍光信号を、信号ケーブル３を介して受信する（ステップＳ１）。制御部６はこれらの信号を解析し、それぞれの信号強度を算出する（ステップＳ２）。次に、試料中の有形成分（細胞や血小板など）の前方散乱光強度および側方散乱光強度を用い、前方散乱光強度および側方散乱光強度を二軸とする第１スキャッタグラムを作成する（ステップＳ３）。第１スキャッタグラム中、造血前駆細胞が出現すると考えられる造血前駆細胞候補領域を設定し、この領域内に含まれる第１細胞群を特定する（ステップＳ４）。また、試料中の有形成分の前方散乱光強度および蛍光強度を用い、前方散乱光強度および蛍光強度を二軸とする第３’スキャッタグラムを作製する（ステップＳ５）。第３’スキャッタグラム中、実質的に全白血球が出現すると考えられる白血球出現領域を設定し、この領域内に含まれる第三細胞群を特定する（ステップＳ６）。さらに、この第３細胞群の側方散乱光強度および蛍光強度を用い、側方散乱光強度および蛍光強度を二軸とする第２’’スキャッタグラムを作成する（ステップＳ７）。第２’’スキャッタグラム中、造血前駆細胞が出現すると考えられる造血前駆細胞候補領域を設定し、この領域内に含まれる第４細胞群を特定する（ステップＳ８）。次いで、第１細胞群に含まれ、且つ第４細胞群に含まれる細胞の蛍光強度および側方散乱光強度を用いて、蛍光強度および側方散乱光強度を二軸とする第３スキャッタグラムを作成する（ステップＳ９）。この第３スキャッタグラムに出現する細胞（第１細胞群に含まれ、且つ第４細胞群に含まれる細胞）を造血前駆細胞として計数し（ステップＳ１０）、この計数結果と第３スキャッタグラムとを出力部７に出力する（ステップＳ１１）。
なお、ステップＳ３およびＳ４の後にステップＳ５〜Ｓ９を実行するのではなく、ステップＳ３およびＳ４の前にステップＳ５〜Ｓ９を実行してもよい。
【０１１３】
上記実施態様の装置では、制御部６は、造血前駆細胞の計数結果と計数に用いたスキャッタグラムを出力部７の表示ディスプレイに出力表示するが、これらのうち何れかのみを出力するものであってもよい。また、スキャッタグラムを出力する場合、一部のスキャッタグラムだけ出力してもよいし、作成したスキャッタグラムの全てを出力するようにしてもよい。
【０１１４】
尚、以上の実施形態においていう「造血前駆細胞の計数結果」には、試料中の造血前駆細胞数、単位体積あたりの造血前駆細胞数（濃度）、全白血球に対する造血前駆細胞の割合などが含まれ、制御部６はこれらのうち少なくともひとつを出力することができる。
【０１１５】
（実施例１）
〔血液学的試料〕
１８０人のヒトから採取した末梢血液１８０検体を血液学的試料（以下、試料ともいう）として用いた。
【０１１６】
〔処理試薬〕
以下の成分を含む溶血剤Ａおよび染色液Ａを用いた。
【０１１７】
溶血剤Ａ
グリシン                                      １５．７ｇ／ｌＬ
ポリオキシエチレン（１６）オレイルエーテル    ２５０００ｐｐｍ
Ｎ−ラウロイルサルコシン酸ナトリウム          ７５０ｐｐｍ
ＨＥＰＥＳ                                    ５０ｍＭ
精製水                                        １ｌ
水酸化ナトリウム                              ｐＨが７．０となる量
【０１１８】
染色液Ａ
プロピジウムアイオダイド                      ２０ｐｐｍ
エチレングリコール                            １Ｌ
【０１１９】
溶血剤Ａ  ９８０μＬと、染色液Ａ  ２０μＬと、試料２０μＬとを混合し、３３℃で７秒間反応させて測定用試料を調整した。この測定用試料を、図７に示す構造を有するフローサイトメータ（光源：６３３ｎｍの光を照射する赤半導体レーザ）に導入し、測定用試料中の各有形成分に光を照射して前方散乱光強度、側方散乱光強度、および蛍光強度を測定した。
【０１２０】
取得した前方散乱光強度および蛍光強度を二軸とするスキャッタグラムＡを作成した。スキャッタグラムＡ中にゴーストを実質的に含まない全白血球領域を設定した。この全白血球領域内の細胞を、側方散乱光強度および蛍光強度を二軸とするグラフに展開し、スキャッタグラムＢを作成した。ある測定用試料の測定時に作成されたスキャッタグラムＡを図１４に、スキャッタグラムＢを図１５に示す。スキャッタグラムＢ中、側方散乱光強度が小さく、蛍光強度が小さい領域を造血前駆細胞候補領域として設定した（図１５参照）。この領域内に出現する細胞を造血前駆細胞として計数し、全白血球領域内に出現する細胞（実質的に試料中の全白血球数）に対する造血前駆細胞の比率を算出した。
【０１２１】
（比較例１）
対照として、実施例１で用いたものと同じ血液学的試料を検体とし、抗ＣＤ３４モノクローナル抗体を用いてＣＤ３４陽性細胞を測定した。なお、ここで測定される抗ＣＤ３４モノクローナル抗体で検出されるＣＤ３４陽性細胞は造血前駆細胞に相当する。
【０１２２】
試料２０μＬと、フルオレセインイソチオシアネート（ＦＩＴＣ）で蛍光標識した抗ＣＤ３４モノクローナル抗体を０．００２５ｍｇ／ｍＬの濃度で含有する標識抗体溶液５μＬとを混合し、室温で２０分間インキュベートした。ここに、溶血剤（塩化アンモニウム  ０．８９９ｍｇ／ｍＬを含む）２ｍＬを添加し、５分間反応させて試料中の赤血球を溶血させた。次に、試料を１０００ｒｐｍで１０分間遠心分離して測定対象である白血球を沈殿させ、上清を廃棄した。沈殿した白血球に１ｍＬのＰＢＳ（ｐＨ７．２）を添加し、白血球を再懸濁させてこれを測定用試料とし、ベクトンディッキンソン社製の汎用フローサイトメータであるＦＡＣＳＣａｌｉｂｕｒで全白血球およびＣＤ３４陽性細胞を計数し、全白血球に対する造血前駆細胞の比率を算出した。
【０１２３】
（結果）
実施例１で算出された造血前駆細胞の比率と、比較例１で算出された造血前駆細胞の比率との相関を示すグラフを、図１６に示す。
図１６より、従来用いられている汎用フローサイトメータを用いた際の測定結果（比較例１の測定結）と、本実施例での測定結果とがよく相関していることがわかる。このことより、本実施例の方法によると正確に造血前駆細胞を測定できることが示された。
【０１２４】
（実施例２）
〔血液学的試料〕
１８０人のヒトから採取した末梢血液１８０検体を血液学的試料（以下、試料ともいう）として用いた。
【０１２５】
〔処理試薬〕
以下の成分を含む溶血剤Ｂおよび染色液Ｂを用いた。
【０１２６】
溶血剤Ｂ
アラニン                                          １９．８ｇ／ｌＬ
ポリオキシエチレン（１６）オレイルエーテル    ２５０００ｐｐｍ
Ｎ−ラウロイルサルコシン酸ナトリウム          ７５０ｐｐｍ
ＨＥＰＥＳ                                    ５０ｍＭ
精製水                                        １ｌ
水酸化ナトリウム                              ｐＨが７．０となる量
【０１２７】
染色液Ｂ
色素Ａ                                        ５０ｐｐｍ
エチレングリコール                            １Ｌ
【０１２８】
溶血剤Ｂ  ９８０μＬと、染色液Ｂ  ２０μＬと、試料２０μＬとを混合し、３３℃で７秒間反応させて測定用試料を調整した。この測定用試料を、実施例１で用いたフローサイトメータに導入し、測定用試料中の各有形成分に光を照射して前方散乱光強度、側方散乱光強度、および蛍光強度を測定した。
【０１２９】
取得した前方散乱光強度および蛍光強度を二軸とするスキャッタグラムＣを作成した。スキャッタグラムＣ中にゴーストを実質的に含まない全白血球領域を設定した。この全白血球領域内の細胞を、側方散乱光強度および蛍光強度を二軸とするグラフに展開し、スキャッタグラムＤを作成した。ある測定用試料の測定時に作成されたスキャッタグラムＣを図１７に、スキャッタグラムＤを図１８に示す。スキャッタグラムＤ中、側方散乱光強度が小さく、蛍光強度が小さい領域を造血前駆細胞候補領域として設定した（図１８参照）。
【０１３０】
また、取得した前方散乱光強度および側方散乱光強度を二軸とするスキャッタグラムＥを作成した。前記測定用試料の測定時に作成されたスキャッタグラムＥを図１９に示す。スキャッタグラムＥ中、側方散乱光強度が中程度で前方散乱光強度が強い領域を造血前駆細胞候補領域として設定した（図１９参照）。
【０１３１】
スキャッタグラムＤの造血前駆細胞候補領域内に出現し、且つスキャッタグラムＥの造血前駆細胞候補領域内に出現する細胞を、蛍光強度および側方散乱光強度に基づいてグラフ中に展開し、スキャッタグラムＦを作成した。前記測定用試料の測定時に作成されたスキャッタグラムＦを図２０に示す。このスキャッタグラムＦに出現する細胞を造血前駆細胞として計数し、全白血球領域内に出現する細胞（実質的に試料中の全白血球数）に対する造血前駆細胞の比率を算出した。
【０１３２】
（比較例２）
実施例２で用いた試料を検体として用いること以外は比較例１と同様の方法で造血前駆細胞を測定し、全白血球に対する造血前駆細胞の比率を算出した。
【０１３３】
（結果）
実施例２で算出された造血前駆細胞の比率と、比較例２で算出された造血前駆細胞の比率との相関を示すグラフを、図２１に示す。
図２１より、従来用いられている汎用フローサイトメータを用いた際の測定結果（比較例２の測定結果）と、本実施例での測定結果とがよく相関していることがわかる。このことより、本実施例の方法によると正確に造血前駆細胞を測定できることが示された。
【０１３４】
（実施例３）
被験者Ａから所定の間隔をあけて１１回血液試料を採取し、この１１検体を被験者Ａからの試料とした。また、被験者Ｂから所定の間隔をあけて１１回血液試料を採取し、この１１検体を被験者Ｂからの試料とした。
造血前駆細胞は、以下の組成を含む溶血剤Ｃおよび染色液Ｃを用いること以外は実施例１と同様の方法で測定された。また、全白血球に対する造血前駆細胞の割合を算出した。
【０１３５】
溶血剤Ｃ
キシリトール                                  ３５．５ｇ／ｌＬ
ポリオキシエチレン（１６）オレイルエーテル    ２００００ｐｐｍ
Ｎ−ラウロイルサルコシン酸ナトリウム          ７５０ｐｐｍ
ＨＥＰＥＳ                                    ３０ｍＭ
精製水                                        １ｌ
水酸化ナトリウム                              ｐＨが７．０となる量
【０１３６】
染色液Ｃ
色素Ａ                                        ２０ｐｐｍ
エチレングリコール                            １Ｌ
【０１３７】
（比較例３）
実施例３で用いた試料を検体として用いること以外は比較例１と同様にして造血前駆細胞を測定し、全白血球に対する造血前駆細胞の比率を算出した。
【０１３８】
（結果）
実施例３および比較例３による被験者Ａについての測定結果を図２１に、被験者Ｂについての測定結果を図２２に示す。図２２および２３は、採血開始を０日とし、所定の期間中にそれぞれ１１回採血を行い、造血前駆細胞の増減をモニターした結果を示すグラフである。図２２および２３からわかるように、実施例３の測定結果と、従来用いられている方法による測定結果（比較例３の測定結果）はほぼ連動していることがわかる。このことより、本実施例の方法によると正確に造血前駆細胞を測定できることが示された。
【図面の簡単な説明】
【０１３９】
【図１】第１細胞群を説明するためのスキャッタグラムの模式図である。
【図２】第２細胞群を説明するためのスキャッタグラムの模式図である。
【図３】第１細胞群に含まれ、且つ第２細胞群に含まれる細胞を説明するためのスキャッタグラムの例である。
【図４】第３細胞群を説明するためのスキャッタグラムの模式図である。
【図５】第４細胞群を説明するためのスキャッタグラムの模式図である。
【図６】本実施形態の測定装置の外観の一例を示す図である。
【図７】本実施形態の測定装置に搭載されるフローサイトメータの一例を示す図である。
【図８】本実施形態の測定装置の制御部の構成の一例を示すブロック図である。
【図９】制御部の処理の一例を示すフローチャートである。
【図１０】制御部の処理の一例を示すフローチャートである。
【図１１】制御部の処理の一例を示すフローチャートである。
【図１２】制御部の処理の一例を示すフローチャートである。
【図１３】制御部の処理の一例を示すフローチャートである。
【図１４】スキャッタグラムＡである。
【図１５】スキャッタグラムＢである。
【図１６】実施例１と比較例１との相関を示すグラフである。
【図１７】スキャッタグラムＣである。
【図１８】スキャッタグラムＤである。
【図１９】スキャッタグラムＥである。
【図２０】スキャッタグラムＦである。
【図２１】実施例２と比較例２との相関を示すグラフである。
【図２２】被験者Ａから採取した試料を用いて測定した場合の実施例３と比較例３の結果を示すグラフである。
【図２３】被験者Ｂから採取した試料を用いて測定した場合の実施例３と比較例３の結果を示すグラフである。
【図１】
2008134062.tif 000009
【図２】
2008134062.tif 000010
【図３】
2008134062.tif 000011
【図４】
2008134062.tif 000012
【図５】
2008134062.tif 000013
【図６】
2008134062.tif 000014
【図７】
2008134062.tif 000015
【図８】
2008134062.tif 000016
【図９】
2008134062.tif 000017
【図１０】
2008134062.tif 000018
【図１１】
2008134062.tif 000019
【図１２】
2008134062.tif 000020
【図１３】
2008134062.tif 000021
【図１４】
2008134062.tif 000022
【図１５】
2008134062.tif 000023
【図１６】
2008134062.tif 000024
【図１７】
2008134062.tif 000025
【図１８】
2008134062.tif 000026
【図１９】
2008134062.tif 000027
【図２０】
2008134062.tif 000028
【図２１】
2008134062.tif 000029
【図２２】
2008134062.tif 000030
【図２３】
2008134062.tif 000031